(57)【特許請求の範囲】
【請求項１】
エンドベル内部に結線部から取り出し口へ向かい、テンションメンバを挿通する貫通孔と、その貫通孔に直交させたテンションメンバを押圧固定するねじ軸を螺合するねじ孔を設けたテンションメンバホルダを有し、テンションメンバホルダは、半円形状に２分割すると共に、その夫々の一端に突出した係止部と、他方にテンションメンバホルダが嵌まる、切欠溝と受部を設けて、左右から挾み固定するホルダケースをインシュレータに取り付け、更に、ホルダケースをエンドベル内のフランジがテンションメンバホルダを押えるように組立てテンションメンバホルダを上下左右から固定することを特徴とするコネクタにおけるテンションメンバ固定構造。
【発明の詳細な説明】
【０００１】
【発明の属する技術分野】
本発明はコネクタにおいて、ケーブル（ファイバ）の引張りや捩れ応力に対応するためのテンションメンバの固定構造に関する。
【０００２】
【従来の技術】
従来のコネクタは、ケーブル（ファイバ）をフェルール等に結線した後、この結線部分に直接力が加わらないようにクランプサドルを用いてケーブル（ファイバ）を左右から挾みねじによって固定する。或いはクランプナットを用いて、ケーブル（ファイバ）をケーブルパッキンに通した後締付具を螺合してパッキンのゴム弾性を利用して止める等して、ケーブルクランプ、クランプサドル、ケーブルパッキン等で力を受け、ケーブル（ファイバ）が引張られた時や捩れによって応力の発生したとき、断線等のトラブルを防ぐようにしていた。
【０００３】
また、テンションメンバホルダにテンションメンバを通して固定する方法も接着剤等で固定し、テンションメンバホルダが、エンドベルの内側に設けたフランジに当たるように配し、ファイバの張力に対応する構造であった。
【０００４】
【発明が解決しようとする課題】
従来の前記ケーブル（ファイバ）の固定方法では、クランプサドルやクランプナットだけによる固定では、捩れ応力に対して弱く、長期放置するとファイバ等に捩れ等が起り応力によって断線することがある。またファイバ等に引張り力が加わった時結線部に悪影響を及ぼす恐れがある。
【０００５】
また、テンションメンバをテンションメンバホルダに通しエンドベルの内周に設けたフランジに接するように配する構造だと引張られた時の力には強いが、捩れに対して弱いところがある。本発明の課題は前記従来の欠点を除き結線部に直接応力、張力が伝わらず、組付作業も容易に行われるテンションメンバ固定構造を得ることにある。
【０００６】
【課題を解決するための手段】
本発明は前記実情に鑑み、これ等の課題を解決するために創案したもので、即ち、ファイバをフェルールに結線した後、テンションメンバも一定の長さで切り、テンションメンバをテンションメンバホルダの貫通孔に挿込み両端からねじ軸で挾み固定し、その後フェルールをインシュレータに装着し、更にインシュレータとバレルを取り付け、インシュレータと２分割した半円筒状ホルダケースの片方のホルダケースの係止部をインシュレータに嵌めて固定し、更に、他方のホルダケースをインシュレータに嵌めてテンションメンバホルダを挾むようにして固定してエンドベル内に嵌め、エンドベルをバレルと螺合する等で結合して取り付け、この時エンドベル内周に設けたフランジがテンションメンバホルダを押えて上下左右を固定するものである。
【０００７】
【発明の実施の形態】
本発明は、コネクタにおいて引張り、捩れに対応するための、テンションメンバ固定構造で、その一実施例を図面に基いて具体的に説明する。
【０００８】
図１は光コネクタのプラグで、１はテンションメンバホルダを示し、このテンションメンバホルダ１は図５に示すように正面から見ると長方形となり、また一部は曲面にした形状で、その正面からの中央にケーブル（ファイバ）２のテンションメンバ２ａを挿入する貫通孔１ａと、この貫通孔１ａに挿入したテンションメンバ２ａを固定するためのねじ軸３を螺合するねじ孔１ｂを前記貫通孔１ａに直交させて設け、貫通孔１ａに挿入したテンションメンバ２ａを両方からのねじ軸３により挾持して固定するようにしてある。
【０００９】
４はホルダケースで、このホルダケース４は２つに分割された半円筒体からなり、各々の半円形ホルダケース１４、１４の一端側には、後記リアインシュレータ５に設けた切欠５ａの凹部に嵌まる係止突起１４ａを複数設けると共に、このホルダケース４の係止突起１４ａ側の外周にはエンドベル６に設けるバレル７の端部を係止する段部１４ｂと、半円形ホルダケース１４の他端側の内面側には相対して、前記テンションメンバホルダ１を嵌める切欠１４ｃで構成する嵌合部と、テンションメンバホルダ１を受止める受部１４ｄを設けて、分割した半円形ホルダケース１４、１４を対向させ組付けた時に前記切欠１４ｃが溝状の嵌合部となって、この溝状嵌合部中に端部からテンションメンバホルダ１を嵌め、受部１４ｄにより受止めるようになっている。
【００１０】
前記バレル７内には前記リアインシュレータ５とフロントインシュレータ８の２枚からなるインシュレータ５、８を有し、夫々のインシュレータ５、８にはフェルール９を挿入する貫通孔５ｂ、８ａを有し、更に貫通孔５ｂ、８ａには内周にフランジ５ｃ、８ｂを設け、更にフェルール９の外周にはフランジ９ａを設けてある。
【００１１】
またフェルール９のフランジ９ａと、リアインシュレータ５のフランジ５ｃの間には弾性体１０を介装し、更に、フロントインシュレータ８のフランジ８ｂにはフェルール９を嵌めたスリーブ９ｂを受止めるようにしてあり、前記フェルール９を前記弾性体１０の付勢によりインシュレータＩ内に固定できるようになっている。
【００１２】
更に、この組付けは、テンションメンバ２ａをテンションメンバホルダ１の貫通孔１ａに挿入してねじ軸３によって固定し、またファイバコード２はフェルール９に接続された後ホルダケース４の分割した一方の半円形状のホルダケース１４先端に設けた係止突起１４ａをバレル７内に設けたリアインシュレータ５の切欠５ａとバレル７の間に設けた凹部に嵌めた後他方の半円形状のホルダケース１４の係止突起１４ａをリアインシュレータ５の凹部に嵌め、この両半円形状のホルダケース１４を組合せて固定したホルダケース４の端部からテンションメンバホルダ１を切欠からなる嵌合部に向けて嵌合させると共に受部１４ｄで受止めホルダケース４で嵌合挾持した後エンドベル６に向けて挿嵌してインシュレータ８を取付けたバレル７とエンドベル６を螺合により結合する。この時エンドベル６の内周のフランジ６ａがテンションメンバホルダ１を押えるような寸法にしてある。
【００１３】
従ってテンションメンバホルダ１を上下左右で固定できる。
【００１４】
【発明の効果】
本発明は上述した構成によってなるもので、ケーブル（ファイバ）が捩れた時テンションメンバホルダ及びホルダケースが応力を受け、エンドベルの内周フランジをホルダケースの他端面に合わせて押えるようになっているので、上下左右どの方向からもテンションメンバを押えるので結線部に直接応力及び張力等が伝わらない。またホルダケースは半円形状で２分割となっていて組み込むので結線組付作業が容易である。
【図面の簡単な説明】
【図１】コネクタにおけるテンションメンバ固定構造の一実施例を示した光コネクタのプラグの半部を判断で示した側面図である。
【図２】テンションメンバホルダとホルダケース及びリアインシュレータの関係を示したインシュレータ側からの正面図である。
【図３】図２のＸ−Ｘ´線の断面図である。
【図４】図２の背面図である。
【図５】テンションメンバホルダの斜視図である。
【図６】分割したホルダケースの一方の斜視図である。
【図７】リアインシュレータの斜視図である。
【符号の説明】
１      テンションメンバホルダ
１ａ      貫通孔
１ｂ      ねじ孔
２      ケーブル（ファイバ）
２ａ      テンションメンバ
２ｂ      ファイバコート
３      ねじ軸
４      ホルダケース
１４      ２分割半円形状ホルダケース
１４ａ      係止突起
１４ｂ      段部
１４ｃ      切欠
１４ｄ      受部
５      リアインシュレータ
５ａ      切欠
５ｂ、８ａ      貫通孔
５ｃ、８ｂ      フランジ
６      エンドベル
６ａ      フランジ
７      バレル
８      フロントインシュレータ
９      フェルール
９ａ      フランジ
９ｂ      スリーブ
１０      弾性体
Ｉ      インシュレータ
【図１】
0003798128.tif 000002
【図２】
0003798128.tif 000003
【図３】
0003798128.tif 000004
【図４】
0003798128.tif 000005
【図５】
0003798128.tif 000006
【図６】
0003798128.tif 000007
【図７】
0003798128.tif 000008